(57)【要約】【課題】アドレスの設定作業をしやすくした操作端末器及びそれを用いた監視制御システムを提供する。【解決手段】操作端末器２は、複数のスイッチと、記憶部２３と、制御部２２とを備え、信号線７により伝送ユニットに電気的に接続される。複数のスイッチは、それぞれ固有のアドレスが設定される。記憶部２３は、複数のスイッチにそれぞれ設定されたアドレスを記憶する。制御部２２は、少なくとも通常モードと設定モードとを有する。制御部２２は、通常モードにおいて、複数のスイッチのうちいずれかのスイッチが操作されると、操作されたスイッチのアドレスを含む操作信号を信号線７を介して伝送ユニットに送信する。制御部２２は、設定モードにおいて、複数のスイッチのうちアドレスの設定対象となるスイッチを選択信号に応じて選択する。【選択図】図１
2017046191.tif 000002
【特許請求の範囲】
【請求項１】
それぞれ固有のアドレスが設定される複数のスイッチと、前記複数のスイッチにそれぞれ設定された前記アドレスを記憶する記憶部と、少なくとも通常モードと設定モードとを有する制御部とを備え、信号線により親機に電気的に接続されており、
前記制御部は、前記通常モードにおいて、前記複数のスイッチのうちいずれかのスイッチが操作されると、操作された前記スイッチの前記アドレスを含む操作信号を前記信号線を介して前記親機に送信し、
前記制御部は、前記設定モードにおいて、前記複数のスイッチのうち前記アドレスの設定対象となるスイッチを選択信号に応じて選択する操作端末器。
【請求項２】
前記複数のスイッチは、複数のグループに分けられており、
前記複数のグループの各々には、前記複数のスイッチのうち２つ以上のスイッチが含まれており、
前記制御部は、前記アドレスの設定対象をグループ単位で選択する請求項１に記載の操作端末器。
【請求項３】
前記選択信号は、前記複数のスイッチのうちいずれかのスイッチが操作されたときに操作された前記スイッチから前記制御部に入力される入力信号であり、
前記制御部は、前記入力信号が入力されると、操作された前記スイッチを含むように前記アドレスの設定対象を選択する請求項１又は２に記載の操作端末器。
【請求項４】
前記アドレスの設定対象を表示する表示部をさらに備えている請求項１〜３のいずれか１項に記載の操作端末器。
【請求項５】
前記アドレスを含む光信号を受信する受信部をさらに備え、
前記制御部は、前記受信部が前記光信号を受信すると、前記光信号に含まれる前記アドレスを前記アドレスの設定対象であるスイッチのアドレスとして前記記憶部に記憶させる請求項１〜４のいずれか１項に記載の操作端末器。
【請求項６】
前記受信部は、１つである請求項５に記載の操作端末器。
【請求項７】
前記複数のスイッチにそれぞれ設定された前記アドレスを含むアドレス情報を出力する出力部をさらに備えている請求項１〜６のいずれか１項に記載の操作端末器。
【請求項８】
請求項１〜７のいずれか１項に記載の操作端末器からなる子機と、
前記信号線により前記子機に電気的に接続されて、前記複数のスイッチのうちいずれかのスイッチが操作されたときに前記子機から送信される前記操作信号を受信する親機とを備えている監視制御システム。
【発明の詳細な説明】
【技術分野】
【０００１】
本発明は、操作端末器及びそれを用いた監視制御システムに関する。
【背景技術】
【０００２】
従来、ユーザの操作を受け付ける操作スイッチ（操作端末器）と、信号の転送制御を行う伝送ユニットと、負荷機器に接点信号を出力する出力用リレー端末器とが、多重伝送線を介して接続された遠隔制御システムが提供されている（例えば特許文献１参照）。
【０００３】
操作スイッチは、負荷機器を利用するユーザによって操作される複数の操作部と、光アドレス設定器から送信されたアドレスデータを受信する送受信部とを備えており、各操作部に対して個別のアドレスが設定される。
【先行技術文献】
【特許文献】
【０００４】
【特許文献１】特開２００８−２９４８３４号公報
【発明の概要】
【発明が解決しようとする課題】
【０００５】
上述の特許文献１記載の遠隔制御システムでは、操作スイッチが備える操作部の数が多くなるとアドレスの設定作業が煩雑になるという問題があった。
【０００６】
本発明は上記課題に鑑みてなされており、アドレスの設定作業をしやすくした操作端末器及びそれを用いた監視制御システムを提供することを目的とする。
【課題を解決するための手段】
【０００７】
本発明の操作端末器は、それぞれ固有のアドレスが設定される複数のスイッチと、前記複数のスイッチにそれぞれ設定された前記アドレスを記憶する記憶部と、少なくとも通常モードと設定モードとを有する制御部とを備え、信号線により親機に電気的に接続されており、前記制御部は、前記通常モードにおいて、前記複数のスイッチのうちいずれかのスイッチが操作されると、操作された前記スイッチの前記アドレスを含む操作信号を前記信号線を介して前記親機に送信し、前記制御部は、前記設定モードにおいて、前記複数のスイッチのうち前記アドレスの設定対象となるスイッチを選択信号に応じて選択する。
【０００８】
本発明の監視制御システムは、上記の操作端末器からなる子機と、前記信号線により前記子機に電気的に接続されて、前記複数のスイッチのうちいずれかのスイッチが操作されたときに前記子機から送信される前記操作信号を受信する親機とを備えている。
【発明の効果】
【０００９】
本発明の操作端末器は、アドレスの設定作業をしやすくなる、という利点がある。
【００１０】
本発明の監視制御システムは、アドレスの設定作業をしやすくなる、という利点がある。
【図面の簡単な説明】
【００１１】
【図１】本発明の実施形態に係る操作端末器の概略ブロック図である。
【図２】本発明の実施形態に係る監視制御システムの概略構成図である。
【図３】本発明の実施形態に係る操作端末器の動作を説明する説明図である。
【図４】本発明の実施形態に係る操作端末器の正面図である。
【図５】本発明の実施形態に係る操作端末器の動作を説明するフローチャートである。
【発明を実施するための形態】
【００１２】
以下の実施形態は、操作端末器及びそれを用いた監視制御システムに関し、特に複数のスイッチを備えた操作端末器及びそれを用いた監視制御システムに関する。
【００１３】
以下に、本発明の実施形態に係る操作端末器２及び監視制御システム１０について、図面を参照しながら具体的に説明する。ただし、以下に説明する構成は、本発明の一例に過ぎず、本発明は下記の実施形態に限定されない。したがって、この実施形態以外であっても、本発明に係る技術的思想を逸脱しない範囲であれば、設計等に応じて種々の変更が可能である。
【００１４】
本実施形態の監視制御システム１０は、図２に示すように、親機としての伝送ユニット１と、子機としての複数（本実施形態では２つ）の操作端末器２とを備える。また、本実施形態の監視制御システム１０は、複数（本実施形態では２つ）の制御端末器３をさらに備える。これらの伝送ユニット１、操作端末器２及び制御端末器３は、２線式の信号線７により互いに電気的に接続されている。
【００１５】
各制御端末器３には、図２に示すように、複数（本実施形態では４つ）のリレー４が接続線８により電気的に接続されている。また、各リレー４は、対応する照明器具５と電源との間に電気的に接続されている。そして、各リレー４は、制御端末器３からの出力に従って、対応する照明器具５へ給電する状態と、対応する照明器具５への給電を停止する状態とが切り替わる。つまり、制御端末器３は、リレー４を制御することによって、リレー４に電気的に接続された負荷（本実施形態では照明器具５）の通電状態を制御する。なお、図２では、左側の制御端末器３に電気的に接続されるリレー４及び照明器具５の図示を省略している。
【００１６】
各操作端末器２及び各制御端末器３には、固有のアドレスが設定され、伝送ユニット１は、これらのアドレスを用いて操作端末器２及び制御端末器３を個別に認識する。ここで、１つの操作端末器２に複数のスイッチ２１１〜２１８が備わっている場合には、複数のスイッチ２１１〜２１８の各々に固有のアドレスが設定される。また、１つの制御端末器３に複数のリレー４が接続されている場合には、複数のリレー４の各々に固有のアドレスが設定される。
【００１７】
本実施形態の監視制御システム１０では、例えば双極性（±２４Ｖ）の時分割多重信号からなる伝送信号によりデータの送受信が行われる。伝送ユニット１は、サイクリックに変更されるアドレスデータを含む伝送信号を信号線７に対して定期的に送出する。一方、操作端末器２及び制御端末器３は、伝送信号に含まれるアドレスデータが自己のアドレスに一致すると、伝送信号に含まれる制御データを取り込む。そして、操作端末器２及び制御端末器３は、伝送信号の信号返送期間において監視データを電流モード信号として返送する。
【００１８】
例えば、操作端末器２は、自己が備えるスイッチ２１１〜２１８の操作状態を監視データとして返送する。制御端末器３は、対応する照明器具５の制御状態（リレー４のオンオフ）を監視データとして返送する。なお、電流モード信号とは、信号線７の線間を開放した状態と、信号線７の線間に低インピーダンスを接続した状態との切り替えによって生じる電流変化で表される信号である。
【００１９】
上記構成の監視制御システム１０によれば、操作端末器２においてスイッチ２１１〜２１８のいずれかが操作されると、操作信号が信号線７を介して操作端末器２から親機（伝送ユニット１）へ送信されることになる。ここでいう操作信号は、スイッチ２１１〜２１８のオンオフに応じて操作端末器２で発生する信号であって、操作端末器２から伝送ユニット１へ送信される電流モード信号である。
【００２０】
操作端末器２からの操作信号を受信した伝送ユニット１は、操作されたスイッチにアドレスが対応するリレー４を制御するための制御信号を、信号線７を介して制御端末器３へ送信する。ここでいう制御信号は、リレー４をオンオフするための信号であって、伝送ユニット１から制御端末器３へ送信される信号である。
【００２１】
ところで、本実施形態の操作端末器２においては、図３に示すように、上述したアドレスの設定作業にアドレス設定器６が用いられる。つまり、操作端末器２はアドレス設定器６との通信機能を有しており、複数のスイッチ２１１〜２１８の各々のアドレスがアドレス設定器６を用いて入力される。本実施形態では、操作端末器２とアドレス設定器６との間の通信方式は、通信媒体として赤外線を用いた光通信である。
【００２２】
アドレス設定器６は、図３に示すように、表示部６１と、複数のスイッチ６２１を有する操作部６２とを備える。図３では、いずれかのスイッチ６２１が操作されることによって、スイッチ２１１〜２１４のアドレス入力欄が表示部６１に表示される。また、別のスイッチ６２１が操作されることによって、スイッチ２１１〜２１４のアドレス入力欄にアドレスが入力される。例えば、図３では、スイッチ２１１のアドレス入力欄に「２−１」、スイッチ２１２のアドレス入力欄に「２−２」、スイッチ２１３のアドレス入力欄に「２−３」、スイッチ２１４のアドレス入力欄に「２−４」が入力されている。
【００２３】
本実施形態の操作端末器２は、図１に示すように、操作部２１と、制御部２２と、記憶部２３とを備える。また、本実施形態の操作端末器２は、表示部２４と、第１通信部２５と、第２通信部２６とをさらに備える。
【００２４】
操作部２１は、ユーザによって操作される複数（本実施形態では８つ）のスイッチ２１１〜２１８（図４参照）を有する。そして、操作部２１は、複数のスイッチ２１１〜２１８のいずれかが操作されると、操作されたスイッチに応じた電気信号を制御部２２へ出力する。ここに、本実施形態では、図４に示すように、スイッチ２１１〜２１４がグループＧ１、スイッチ２１５〜２１８がグループＧ２に属しており、グループ単位でアドレス設定が行われる。
【００２５】
制御部２２は、例えばマイクロコンピュータ（マイコン）からなり、記憶部２３に予め記憶させたプログラムに従って動作する。制御部２２は、複数のスイッチ２１１〜２１８の操作状態に応じて負荷（本実施形態では照明器具５）の通電状態を制御する通常モードと、複数のスイッチ２１１〜２１８にアドレスを設定する設定モードとを有する。
【００２６】
制御部２２は、通常モードにおいて、複数のスイッチ２１１〜２１８のうちいずれかのスイッチが操作されると、操作されたスイッチのアドレスを含む操作信号を伝送ユニット１に送信する機能を有している。また、制御部２２は、設定モードにおいて、複数のスイッチ２１１〜２１８のうちアドレスの設定対象となるスイッチを選択信号に応じて選択する機能を有している。さらに、制御部２２は、設定モードにおいて、表示部２４を点滅させることによりアドレスの設定対象になっているスイッチを表示する機能を有している。
【００２７】
記憶部２３は、例えばＲＯＭ（ReadOnly Memory）やフラッシュメモリなどの不揮発性メモリからなり、制御部２２の動作プログラムや、複数のスイッチ２１１〜２１８の各々に設定されたアドレスを記憶する。また、記憶部２３は、制御部２２からの制御信号に従って、スイッチ２１１〜２１８のアドレスを制御部２２へ出力する。
【００２８】
表示部２４は、複数（本実施形態では８つ）のＬＥＤ２４１〜２４８を有する。複数のＬＥＤ２４１〜２４８は、複数のスイッチ２１１〜２１８に一対一に対応して設けられている。複数のＬＥＤ２４１〜２４８の各々は、制御部２２の動作モードが通常モードである場合、対応する負荷（本実施形態では照明器具５）の通電状態に応じて点灯状態が変化する。つまり、ＬＥＤ２４１〜２４８に対応するスイッチ２１１〜２１８の操作に応じた負荷の制御状態が、ＬＥＤ２４１〜２４８の点灯状態によって表示される。ここでいう点灯状態は、ＬＥＤ２４１〜２４８の発光色（例えば赤、緑）や、ＬＥＤ２４１〜２４８の点灯、消灯、点滅の別、さらには点滅パターンなどである。
【００２９】
また、制御部２２の動作モードが設定モードである場合、複数のＬＥＤ２４１〜２４８のうちアドレスの設定対象になっているスイッチに対応するＬＥＤが点滅する。例えば、グループＧ１に含まれるスイッチ２１１〜２１４がアドレスの設定対象になっている場合には、スイッチ２１１〜２１４に対応するＬＥＤ２４１〜２４４が点滅する。また、グループＧ２に含まれるスイッチ２１５〜２１８がアドレスの設定対象になっている場合には、スイッチ２１５〜２１８に対応するＬＥＤ２４５〜２４８が点滅する。
【００３０】
第１通信部２５は、例えばアドレス設定器６から出力される赤外線信号（光信号）の受波を行う受光素子と、赤外線信号の送波を行う発光素子とを有する。第１通信部２５は、受光素子により受光した赤外線信号に含まれるアドレスデータを制御部２２へ出力し、制御部２２は、受け取ったアドレスデータに基づいて、各スイッチ２１１〜２１８と対応するアドレスとを関連付けて記憶部２３に記憶させる。ここに、本実施形態では、第１通信部２５により受信部が構成される。
【００３１】
第２通信部２６は、信号線７を介して電気的に接続された伝送ユニット１の通信部との間で通信を行う。つまり、第２通信部２６は、伝送ユニット１の通信部から定期的に送信される伝送信号を受信し、この伝送信号に含まれるアドレスデータが自己のアドレスに一致する場合には、伝送信号に含まれる制御データを取り込んで制御部２２へ出力する。制御部２２は、伝送ユニット１からの制御データを受信すると、操作部２１のスイッチ２１１〜２１８の操作状態を含む監視データを生成し、生成した監視データを第２通信部２６から伝送ユニット１へ送信させる。つまり、伝送ユニット１では、第２通信部２６より送られてくる監視データによって、スイッチ２１１〜２１８の操作状態を知ることができる。
【００３２】
図４は本実施形態の操作端末器２の正面図である。なお、以下の説明では特に断りがない限り、図４の上下方向及び左右方向を操作端末器２の上下方向及び左右方向とし、図４の紙面に垂直な方向を操作端末器２の前後方向（手前が前方）と規定する。ただし、これらの方向は操作端末器２の使用形態を限定する趣旨ではない。
【００３３】
操作端末器２は、図４に示すように、正面視が正方形状に形成されたケース２０を有している。ケース２０の中央部には、第１通信部２５が配置されており、第１通信部２５の前方にはセンターパネル２１９が配置されている。つまり、第１通信部２５は、センターパネル２１９により覆われている。また、ケース２０において第１通信部２５の周囲には、第１通信部２５を囲むように複数（本実施形態では８つ）のスイッチ２１１〜２１８が配置されている。複数のスイッチ２１１〜２１８の各々は、ケース２０内に収納される押しボタンスイッチと、押しボタンスイッチの前方に配置される操作ハンドル２２０とを有する。各押しボタンスイッチは、対応する操作ハンドル２２０の押し操作によりオンオフが切り替わる。
【００３４】
センターパネル２１９及び複数の操作ハンドル２２０の各々は、正面視の形状が略同一の正方形状に形成されている。そして、センターパネル２１９及び複数の操作ハンドル２２０は、ケース２０の前面において、Ｎ×Ｎ（Ｎは３以上の奇数。本実施形態ではＮ＝３）のマトリクス状に配置されている。その結果、ケース２０の前面がセンターパネル２１９及び複数の操作ハンドル２２０により埋め尽くされる。センターパネル２１９及び複数の操作ハンドル２２０は、いずれも電気絶縁性を有する合成樹脂製である。また、本実施形態では、センターパネル２１９は、操作端末器２とアドレス設定器６との間の通信媒体として用いられる光（赤外線）に対して透過性を有している。
【００３５】
また、ケース２０において第１通信部２５の周囲には、第１通信部２５を囲むように複数（本実施形態では８つ）のＬＥＤ２４１〜２４８が配置されている。例えば、図４では、スイッチ２１１に対応するＬＥＤ２４１は、スイッチ２１１の操作ハンドルの右下角部に配置され、スイッチ２１３に対応するＬＥＤ２４３は、スイッチ２１３の操作ハンドルの右上角部に配置されている。また、スイッチ２１５に対応するＬＥＤ２４５は、スイッチ２１５の操作ハンドルの左上角部に配置され、スイッチ２１７に対応するＬＥＤ２４７は、スイッチ２１７の操作ハンドルの左下角部に配置されている。さらに、スイッチ２１２に対応するＬＥＤ２４２は、ＬＥＤ２４１とＬＥＤ２４３とを結ぶ線分の中点となる位置に配置され、スイッチ２１４に対応するＬＥＤ２４４は、ＬＥＤ２４３とＬＥＤ２４５とを結ぶ線分の中点となる位置に配置されている。また、スイッチ２１６に対応するＬＥＤ２４６は、ＬＥＤ２４５とＬＥＤ２４７とを結ぶ線分の中点となる位置に配置され、スイッチ２１８に対応するＬＥＤ２４８は、ＬＥＤ２４７とＬＥＤ２４１とを結ぶ線分の中点となる位置に配置されている。
【００３６】
次に、本実施形態の操作端末器２の動作について、図５に示すフローチャートを参照しながら具体的に説明する。
【００３７】
操作端末器２の制御部２２は、入力信号があるか否かを判別する（ステップＳ１）。本実施形態では、例えばスイッチ２１１〜２１８のうちいずれかのスイッチが２秒以上長押しされることで入力される信号を入力信号としている。つまり、制御部２２は、いずれかのスイッチが２秒以上長押しされた場合に入力信号ありと判断し、いずれのスイッチも２秒以上長押しされていない場合に入力信号なしと判断する。
【００３８】
制御部２２は、ステップＳ１において入力信号なしと判断すると（ステップＳ１のＮｏ）、通常モードを実行する。通常モードでは、制御部２２は、複数のスイッチ２１１〜２１８のうちいずれかのスイッチが操作されると、操作されたスイッチに対応する操作信号を伝送ユニット１へ送信する。
【００３９】
制御部２２は、ステップＳ１において入力信号ありと判断すると（ステップＳ１のＹｅｓ）、動作モードが通常モードから設定モードに切り替わる（ステップＳ３）。制御部２２は、動作モードが設定モードになると、操作されたスイッチを含むグループをアドレスの設定対象として選択する（ステップＳ４）。例えば、図４において、スイッチ２１１が２秒以上長押しされた場合には、スイッチ２１１を含むグループＧ１がアドレスの設定対象として選択される。言い換えれば、グループＧ１に含まれるスイッチ２１１〜２１４がアドレスの設定対象として選択される。また、図４において、スイッチ２１５が操作された場合には、スイッチ２１５を含むグループＧ２がアドレスの設定対象として選択される。言い換えれば、グループＧ２に含まれるスイッチ２１５〜２１８がアドレスの設定対象として選択される。
【００４０】
次に、制御部２２は、表示部２４を点滅させてアドレスの設定対象を表示させる（ステップＳ５）。例えば、図４において、グループＧ１がアドレスの設定対象として選択された場合、制御部２２は、スイッチ２１１〜２１４に対応するＬＥＤ２４１〜２４４を点滅させて、スイッチ２１１〜２１４がアドレスの設定対象であることを表示させる。また、図４において、グループＧ２がアドレスの設定対象として選択された場合、制御部２２は、スイッチ２１５〜２１８に対応するＬＥＤ２４５〜２４８を点滅させて、スイッチ２１５〜２１８がアドレスの設定対象であることを表示させる。その後、制御部２２は、アドレス設定器６によりアドレスが入力されるまで表示部２４を点滅させ続ける（ステップＳ５及びステップＳ６のＮｏ）。
【００４１】
そして、制御部２２は、アドレス設定器６によりアドレスが入力されると（ステップＳ６のＹｅｓ）、入力されたアドレスを設定対象であるスイッチに対応付けて記憶部２３に記憶させる（ステップＳ７）。制御部２２は、ステップＳ７においてアドレス設定が終了すると、動作モードが設定モードから通常モードに切り替わり、再度入力信号があるまでは通常モードを実行する。ここに、本実施形態では、入力信号により選択信号が構成される。
【００４２】
ところで、記憶部２３に記憶させたスイッチ２１１〜２１８のアドレスは、第１通信部２５を介してアドレス設定器６により記憶部２３から読み出すことができる。例えば、スイッチ２１１〜２１４のアドレスを読み出すための指令信号がアドレス設定器６から操作端末器２へ送信されると、操作端末器２の制御部２２は、指令信号に従ってスイッチ２１１〜２１４のアドレスを記憶部２３から読み出す。そして、制御部２２は、読み出したスイッチ２１１〜２１４のアドレスを第１通信部２５へ出力し、第１通信部２５からアドレス設定器６へ送信させる。その結果、図３に示すように、アドレス設定器６の表示部６１にスイッチ２１１〜２１４のアドレス「２−１」〜「２−４」が表示される。ここに、本実施形態では、第１通信部２５により出力部が構成される。
【００４３】
また、第１通信部２５を構成する受光素子及び発光素子が基板に実装される場合、第１通信部２５の数が多くなると基板への実装面積も大きくなる。そのため、本実施形態のように第１通信部２５が１つである場合には、基板上の空きスペースを広げることができ、その結果、デザインの幅を広げることができる。
【００４４】
なお、上記実施形態では、監視制御システム１０が備える操作端末器２及び制御端末器３がそれぞれ２つである場合を例示しているが、監視制御システム１０が備える操作端末器２及び制御端末器３はそれぞれ１つ、又は３つ以上であってもよい。また、操作端末器２及び制御端末器３は、上記実施形態のように同数であってもよいし、同数でなくてもよい。
【００４５】
また、上記実施形態では、制御端末器３に電気的に接続されるリレー４が４つの場合を例示しているが、リレー４は１つ、２つ又は３つでもよいし、５つ以上でもよい。
【００４６】
また、上記実施形態では、操作端末器２とアドレス設定器６との間の通信方式として、赤外線を通信媒体に用いた光通信が採用されているが、この構成に限らず、例えば可視光や電波を通信媒体に用いた通信方式が採用されてもよい。さらに、アドレス設定器６は、電線により操作端末器２に電気的に接続され、電線を介してアドレスデータを操作端末器２に送信してもよい。つまり、操作端末器２とアドレス設定器６とが有線通信するように構成されていてもよい。
【００４７】
また、制御端末器３がリレー４をオンオフすることにより制御される負荷は、照明器具５に限らず、例えば換気扇や空調装置などの負荷であってもよい。
【００４８】
また、上記実施形態では、複数のＬＥＤ２４１〜２４８により表示部２４が構成されているが、例えば７セグメントディスプレイ（Seven-Segment Display）や液晶ディスプレイ（ＬＣＤ：Liquid CrystalDisplay）により表示部２４が構成されていてもよい。
【００４９】
さらに、上記実施形態では、スイッチを長押しした際に入力される入力信号（オン信号）が選択信号である場合を例示しているが、１つのスイッチが複数回操作されることで入力される複数の入力信号が選択信号であってもよい。また、同じグループに含まれる複数のスイッチが操作されることで入力される複数の入力信号が選択信号であってもよい。
【００５０】
以上説明したように、本実施形態の操作端末器２は、複数のスイッチ２１１〜２１８と、記憶部２３と、制御部２２とを備え、信号線７により親機（伝送ユニット１）に電気的に接続されている。複数のスイッチ２１１〜２１８は、それぞれ固有のアドレスが設定される。記憶部２３は、複数のスイッチ２１１〜２１８にそれぞれ設定されたアドレスを記憶する。制御部２２は、少なくとも通常モードと設定モードとを有する。制御部２２は、通常モードにおいて、複数のスイッチ２１１〜２１８のうちいずれかのスイッチが操作されると、操作されたスイッチのアドレスを含む操作信号を信号線７を介して親機に送信する。制御部２２は、設定モードにおいて、複数のスイッチ２１１〜２１８のうちアドレスの設定対象となるスイッチを選択信号に応じて選択する。上記構成によれば、アドレスの設定対象として選択されたスイッチに対してアドレスを設定すればよいので、スイッチの数が多い場合でもアドレスの設定作業がしやすくなるという利点がある。
【００５１】
また、本実施形態の操作端末器２のように、複数のスイッチ２１１〜２１８は、複数のグループＧ１，Ｇ２に分けられているのが好ましい。この場合、複数のグループＧ１，Ｇ２の各々には、複数のスイッチ２１１〜２１８のうち２つ以上のスイッチが含まれる。制御部２２は、アドレスの設定対象をグループ単位で選択する。上記構成によれば、グループ単位でアドレス設定をすることになり、アドレスの設定作業がしやすくなるという利点がある。
【００５２】
また、本実施形態の操作端末器２のように、選択信号は、複数のスイッチ２１１〜２１８のうちいずれかのスイッチが操作されたときに操作されたスイッチから制御部２２に入力される入力信号であるのが好ましい。この場合、制御部２２は、入力信号が入力されると、操作されたスイッチを含むようにアドレスの設定対象を選択する。上記構成によれば、操作されたスイッチから制御部２２への入力信号によってアドレスの設定対象を選択することができる。
【００５３】
また、本実施形態の操作端末器２のように、アドレスの設定対象を表示する表示部２４をさらに備えているのが好ましい。上記構成によれば、アドレスの設定対象を表示部２４に表示することによってアドレスの設定対象を作業者に知らせることができる。そして、アドレスの設定対象を作業者に知らせることによってアドレスの重複設定を低減することができる。
【００５４】
また、本実施形態の操作端末器２のように、アドレスを含む光信号を受信する受信部（第１通信部２５）をさらに備えているのが好ましい。この場合、制御部２２は、受信部が光信号を受信すると、光信号に含まれるアドレスをアドレスの設定対象であるスイッチのアドレスとして記憶部２３に記憶させる。上記構成によれば、アドレスの設定対象として選択されたスイッチに対して受信部で受信した光信号に含まれるアドレスを設定することができる。
【００５５】
また、本実施形態の操作端末器２のように、受信部は、１つであるのが好ましい。上記構成によれば、受信部が２つ以上である場合に比べて、操作端末器２の小型化を図ることができる。
【００５６】
また、本実施形態の操作端末器２のように、複数のスイッチ２１１〜２１８にそれぞれ設定されたアドレスを含むアドレス情報を出力する出力部（第１通信部２５）をさらに備えているのが好ましい。上記構成によれば、複数のスイッチ２１１〜２１８にそれぞれ設定されたアドレスを、アドレス設定後に読み出すことができる。
【００５７】
本実施形態の監視制御システム１０は、操作端末器２からなる子機と、親機（伝送ユニット１）とを備える。親機は、信号線７により子機に電気的に接続されて、複数のスイッチ２１１〜２１８のうちいずれかのスイッチが操作されたときに子機から送信される操作信号を受信する。上記構成によれば、上述のいずれかの操作端末器２を用いることによって、アドレスの設定作業をしやすくした監視制御システム１０を提供することができる。
【符号の説明】
【００５８】
１  伝送ユニット（親機）
２  操作端末器（子機）
７  信号線
１０  監視制御システム
２２  制御部
２３  記憶部
２４  表示部
２５  第１通信部（受信部、出力部）
２１１〜２１８  スイッチ
Ｇ１，Ｇ２  グループ
【図１】
2017046191.tif 000003
【図２】
2017046191.tif 000004
【図３】
2017046191.tif 000005
【図４】
2017046191.tif 000006
【図５】
2017046191.tif 000007